(57)【要約】【課題】右側板部と左側板部と天板部と底板部と背板部との相互に固定する部分の構造を簡単にする。【解決手段】背板部６が左右側板部２；３の背収容部１９；２９に嵌め込まれ、左右側板部２；３のナット部材１７；２７と天板部４のナット収容部３８；４１とが互いに嵌め合わされ、ボルト部材６５；７５が天板部４を通過してナット部材１７；２７にねじ締結され、ボルト部材１７；２７の頭部が頭収容部３９；４２に収容され、又、左右側板部のナット部材１８；２８と底板部４のナット収容部５２；５５とが互いに嵌め合わされ、ボルト部材１８；２８が底板部５を通過してナット部材１８；２８にねじ締結され、ボルト部材１８；２８の頭部が頭収容部５３；５６に収容されるようになっている。【選択図】図１
2014223292.tif 000002
【特許請求の範囲】
【請求項１】
右側板部と左側板部と天板部と底板部と背板部とが互いに固定されて前方を開放しかつ左右上下後の囲まれた内部空間部を構成するスロットマシンの筐体において、左右側板部の上端面部及び下端面部が左右側板部の内部空間側面部と直角に交差する平坦面部として形成され、左右側板部の上端面部にはナット部材の一部が埋め込まれて固定されかつナット部材の残部が左右側板部の上端面部より上方に突出して設けられ、左右側板部の下端面部にナット部材の一部が埋め込まれて固定されかつナット部材の残部が左右側板部の下端面部より下方に突出して設けられ、左右側板部の内部空間側面部の後部には背収容部が上方又は下方及び内部空間部の側に開口した溝として形成され、天板部の左端面部及び右端面部が天板部の内部空間側面部に直角に交差する平坦面部として形成され、天板部の左右側部にはナット収容部が天板部の内部空間側面部から天板部の内部への窪みとして設けられかつ頭収容部が天板部の上面部から天板部の内部への窪みとして設けられさらにナット収容部と頭収容部との間にねじ通し孔部が形成され、底板部の左端面部及び右端面部が底板部の内部空間側面部に直角に交差する平坦面部として形成され、底板部の左右側部にはナット収容部が内部空間側面部から底板部の内部への窪みとして設けられかつ頭収容部が底板部の下面部から底板部の内部への窪みとして設けられさらにナット収容部と頭収容部との間にねじ通し孔部が形成された一方、背板部の左右側部が左右側板部の背収容部に嵌め込まれ、左右側板部の上端面部より上方に突出したナット部材の残部と天板部の左右側部のナット収容部とが互いに嵌め合わされ、ボルト部材の雄ねじ部が天板部の外部から頭収容部とねじ通し孔部とを経由して左右側板部の上端面部のナット部材の雌ねじ部にねじ締結され、このボルト部材の頭部が天板部よりも上方に突出しないように天板部の左右側部の頭収容部に収容され、又、左右側板部の下端面部より下方に突出したナット部材の残部と底板部の左右側部のナット収容部とが互いに嵌め合わされ、ボルト部材の雄ねじ部が底板部の外部から頭収容部とねじ通し孔部とを経由して左右側板部の下端面部のナット部材の雌ねじ部にねじ締結され、このボルト部材の頭部が底板部よりも下方に突出しないように底板部の左右側部の頭収容部に収容されたことを特徴とするスロットマシンの筐体。
【請求項２】
天板部又は底板部の一方又は天板部及び底板部の両方に背収容部が設けられ、背板部の左右側部が左右側板部の背収容部に嵌め込まれた状態において、天板部又は底板部の一方又は天板部及び底板部の両方が左右側板部に取り付けられる時に、背板部の上端部又は下端部の一方又は上端部及び下端部の両方が天板部又は底板部の一方又は天板部及び底板部の両方の背収容部にはめ込まれたことを特徴する請求項１記載のスロットマシンの筐体。
【発明の詳細な説明】
【技術分野】
【０００１】
本発明は、スロットマシンの筐体であって、右側板部と左側板部と天板部と底板部と背板部との相互に固定する部分の構造に関する。
【背景技術】
【０００２】
図１５は、特許文献１で開示されたパチンコ機の枠体５０１を示す。図１５において、パチンコ機の枠体５０１は、左側板部５０２と右側板部５０３と天板部５０４と底板部５０５とを備える。そして、枠体５０１が組み立てられる場合、左側板部５０２のねじ通し部５０６と天板部５０４の取付部５０７とが互いに横方向より嵌め合わせられ、左側板部５０２の収容部５０８と天板部５０４の突起部５０９とが互いに横方向に重ね合わせられ、ボルト部材５１０が左側板部５０２の外部からねじ通し部５０６を経由して取付部５０７にねじ締結されて、左側板部５０２と天板部５０４とが互いに結合される。又、右側板部５０３のねじ通し部５１１と天板部５０４の取付部５１２とが互いに横方向より嵌め合わせられ、右側板部５０３の収容部５１３と天板部５０４の突起部５１４とが互いに横方向に重ね合わせられ、ボルト部材５１５が右側板部５０３の外部からねじ通し部５１１を経由して取付部５１２にねじ締結されて、右側板部５０３と天板部５０４とが互いに結合される。又、左側板部５０２のねじ通し部５１６と底板部５０５の取付部５１７とが互いに横方向より嵌め合わせられ、左側板部５０２と底板部５０５の突起部５１８とが互いに横方向に重ね合わせられ、ボルト部材５１９が左側板部５０２の外部からねじ通し部５１６を経由して取付部５１７にねじ締結されて、左側板部５０２と底板部５０５とが互いに結合される。更に、右側板部５０３のねじ通し部５２０と底板部５０５の取付部５２１とが互いに横方向より嵌め合わせられ、右側板部５０３と底板部５０５の突起部５２２とが互いに横方向に重ね合わせられ、ボルト部材５２３が右側板部５０３の外部からねじ通し部５２０を経由して取付部５２１にねじ締結されて、右側板部５０３と底板部５０５とが互いに結合され、底板部５０５の前板部５２４が左側板部５０２及び右側板部５０３の前部に配置される。以上により、パチンコ機の枠体５０１が右側板部５０２と左側板部５０３と天板部５０４と底板部５０５とが互いに固定されて前後方向に開口した内部空間部を囲む構造体として構成される。
【０００３】
しかしながら、左側板部５０２に収容部５０８が階段状に設けられ、右側板部５０３に収容部５１３が階段状に設けられ、天板部５０４に突起部５０９；５１４が設けられ、取付部５０７が突起部５０９から左側に突出して設けられ、取付部５１２が突起部５１４から右側に突出して設けられ、底板部５０５に突起部５１８；５２２が設けられ、取付部５１７が突起部５１８から左側に突出して設けられ、取付部５２１が突起部５２２から右側に突出して設けられた構成であるので、右側板部５０２と左側板部５０３と天板部５０４と底板部５０５とを互いに固定する部分の構造が複雑である。
【先行技術文献】
【特許文献】
【０００４】
【特許文献１】特開平４−９０７８１号公報
【発明の概要】
【発明が解決しようとする課題】
【０００５】
本発明は、上記背景技術に鑑みてなされたものであり、スロットマシンの筐体における右側板部と左側板部と天板部と底板部と背板部との相互に固定する部分の構造を簡単にすることを目的とする。
【課題を解決するための手段】
【０００６】
本発明は、右側板部と左側板部と天板部と底板部と背板部とが互いに固定されて前方を開放しかつ左右上下後の囲まれた内部空間部を構成するスロットマシンの筐体において、左右側板部の上端面部及び下端面部が左右側板部の内部空間側面部と直角に交差する平坦面部として形成され、左右側板部の上端面部にはナット部材の一部が埋め込まれて固定されかつナット部材の残部が左右側板部の上端面部より上方に突出して設けられ、左右側板部の下端面部にナット部材の一部が埋め込まれて固定されかつナット部材の残部が左右側板部の下端面部より下方に突出して設けられ、左右側板部の内部空間側面部の後部には背収容部が上方又は下方及び内部空間部の側に開口した溝として形成され、天板部の左端面部及び右端面部が天板部の内部空間側面部に直角に交差する平坦面部として形成され、天板部の左右側部にはナット収容部が天板部の内部空間側面部から天板部の内部への窪みとして設けられかつ頭収容部が天板部の上面部から天板部の内部への窪みとして設けられさらにナット収容部と頭収容部との間にねじ通し孔部が形成され、底板部の左端面部及び右端面部が底板部の内部空間側面部に直角に交差する平坦面部として形成され、底板部の左右側部にはナット収容部が内部空間側面部から底板部の内部への窪みとして設けられかつ頭収容部が底板部の下面部から底板部の内部への窪みとして設けられさらにナット収容部と頭収容部との間にねじ通し孔部が形成された一方、背板部の左右側部が左右側板部の背収容部に嵌め込まれ、左右側板部の上端面部より上方に突出したナット部材の残部と天板部の左右側部のナット収容部とが互いに嵌め合わされ、ボルト部材の雄ねじ部が天板部の外部から頭収容部とねじ通し孔部とを経由して左右側板部の上端面部のナット部材の雌ねじ部にねじ締結され、このボルト部材の頭部が天板部よりも上方に突出しないように天板部の左右側部の頭収容部に収容され、又、左右側板部の下端面部より下方に突出したナット部材の残部と底板部の左右側部のナット収容部とが互いに嵌め合わされ、ボルト部材の雄ねじ部が底板部の外部から頭収容部とねじ通し孔部とを経由して左右側板部の下端面部のナット部材の雌ねじ部にねじ締結され、このボルト部材の頭部が底板部よりも下方に突出しないように底板部の左右側部の頭収容部に収容されたことを特徴とする。
【発明の効果】
【０００７】
本発明は、左右側板部の上端面部及び下端面部が左右側板部の内部空間側面部と直角に交差する平坦面部として形成され、天板部の左端面部及び右端面部が天板部の内部空間側面部に直角に交差する平坦面部として形成され、底板部の左端面部及び右端面部が底板部の内部空間側面部に直角に交差する平坦面部として形成され、背板部の左右側部が左右側板部の背収容部に嵌め込まれ、左右側板部の上端面部より上方に突出したナット部材の残部と天板部の左右側部のナット収容部とが互いに嵌め合わされ、ボルト部材の雄ねじ部が天板部の外部から頭収容部とねじ通し孔部とを経由して左右側板部の上端面部のナット部材の雌ねじ部にねじ締結され、このボルト部材の頭部が天板部よりも上方に突出しないように天板部の左右側部の頭収容部に収容され、又、左右側板部の下端面部より下方に突出したナット部材の残部と底板部の左右側部のナット収容部とが互いに嵌め合わされ、ボルト部材の雄ねじ部が底板部の外部から頭収容部とねじ通し孔部とを経由して左右側板部の下端面部のナット部材の雌ねじ部にねじ締結され、このボルト部材の頭部が底板部よりも下方に突出しないように底板部の左右側部の頭収容部に収容されたことにより、右側板部と左側板部と天板部と底板部と背板部との相互に固定する部分の構造が簡単になるという効果がある。本発明において、天板部又は底板部の一方又は天板部及び底板部の両方に背収容部が設けられ、背板部の左右側部が左右側板部の背収容部に嵌め込まれた状態において、天板部又は底板部の一方又は天板部及び底板部の両方が左右側板部に取り付けられる時に、背板部の上端部又は下端部の一方又は上端部及び下端部の両方が天板部又は底板部の一方又は天板部及び底板部の両方の背収容部にはめ込まれれば、天板部の保持が強固になる。
【図面の簡単な説明】
【０００８】
【図１】発明を実施するための形態１に係るスロットマシンの筐体を分解して示した斜視図。
【図２】発明を実施するための形態１に係る左側板部と右側板部及び底板部が組み立てられた状態を縦方向に切断して示した断面図。
【図３】発明を実施するための形態１に係る左側板部と右側板部と底板部及び背板部が組み立てられた状態を縦方向に切断して示した断面図。
【図４】発明を実施するための形態１に係る左側板部と右側板部と底板部と背板部及び天板部が組み立てられた状態を縦方向に切断して示した断面図。
【図５】発明を実施するための形態１に係る左側板部と右側板部及び底板部が組み立てられた状態を横方向に切断して示した断面図。
【図６】発明を実施するための形態１に係るスロットマシンの筐体を示す斜視図。
【図７】発明を実施するための形態２に係るスロットマシンの筐体の背板部周りを示す横断面図。
【図８】発明を実施するための形態２に係るスロットマシンの筐体の背板部周りを示す縦断面図。
【図９】発明を実施するための形態３に係る金具を示す斜視図。
【図１０】発明を実施するための形態３に係る金具で左側板部と天板部と右側板部との位置を決めた構造を示す横断面図。
【図１１】発明を実施するための形態３に係る金具で左側板部と天板部と右側板部との結合した構造を示す横断面図。
【図１２】発明を実施するための形態４に係る金具を示す斜視図。
【図１３】発明を実施するための形態４に係る金具で左側板部と天板部と右側板部との位置を決めた構造を示す横断面図。
【図１４】発明を実施するための形態４に係る金具で左側板部と天板部と右側板部との結合した構造を示す横断面図。
【図１５】従来のパチンコ機の枠体を分解して示した斜視図。
【発明を実施するための形態】
【０００９】
図１乃至図６を参照し、発明を実施するための形態１に係るスロットマシンの筐体１について説明する。図１において、１は筐体、２は左側板部、３は右側板部、４は天板部、５は底板部、６は背板部、７は内部空間部、８乃至１０は欠番、１１は左側板部２の上端面部、１２は左側板部２の下端面部、１３は左側板部２の前端面部、１４は左側板部２の後端面部、１５は左側板部２の内部空間側面部（内部空間部７の側に位置する面部と同義語である）、１６は左側板部２の外面部、１７；１８は左側板部２のナット部材、１９は左側板部２の背収容部、２０は欠番、２１は右側板部３の上端面部、２２は右側板部３の下端面部、２３は右側板部３の前端面部、２４は右側板部３の後端面部、２５は右側板部３の内部空間側面部（内部空間部７の側に位置する面部と同義語である）、２６は右側板部３の外面部、２７；２８は右側板部３のナット部材、２９は右側板部３の背収容部、３０は欠番、３１は天板部４の左端面部、３２は天板部４の右端面部、３３は天板部４の前端面部、３４は天板部４の後端面部、３５は天板部４の内部空間側面部（内部空間部７の側に位置する面部と同義語である）、３６は天板部４の上面部、３７は天板部４の背収容部、３８；４１は天板部４のナット収容部、３９；４２は天板部４の頭収容部、４０；４３はねじ通し孔部、４４は欠番、４５は底板部５の左端面部、４６は底板部５の右端面部、４７は底板部５の前端面部、４８は底板部５の後端面部、４９は底板部５の内部空間側面部（内部空間部７の側に位置する面部と同義語である）、５０は底板部５の下面部、５１は底板部５の背収容部、５２；５５は底板部５のナット収容部、５３；５６は底板部５の頭収容部、５４；５７はねじ通し孔部、５８は欠番、５９は背板部６の左端面部、６０は背板部６の右端面部、６１は背板部６の上端面部、６２は背板部６の下端面部、６３は背板部６の内部空間側面部（内部空間部７の側に位置する面部と同義語である）、６４は欠番、６５はボルト部材、６６はボルト部材６５の雄ねじ部、６７はボルト部材６５の頭部、６８はボルト部材６５の工具孔部、６９は欠番、７０はボルト部材、７１はボルト部材７０の雄ねじ部、７２はボルト部材７０の頭部、７３はボルト部材７０の工具孔部、７４は欠番、７５はボルト部材、７６はボルト部材７５の雄ねじ部、７７はボルト部材７５の頭部、７８はボルト部材７５の工具孔部、７９は欠番、８０はボルト部材、８１はボルト部材８０の雄ねじ部、８２はボルト部材８０の頭部、８３はボルト部材８０の工具孔部である。
【００１０】
図１を参照し、左側板部２の構造について説明する。左側板部２では、上端面部１１及び下端面部１２が互い平行になっていると共に内部空間側面部１５に直角に交差する平坦面部として個別に形成される。前端面部１３は、内部空間側面部１５に直角に交差する平坦面部として形成されると共に上端面部１１から下端面部１２に行くに従って徐々に前方に突出する勾配の斜面部として形成される。後端面部１４は、内部空間側面部１５と上端面部１１及び下端面部１２に直角に交差する平坦面部として形成される。即ち、左側板部２が四角形の板状に形成された造形であり、左側板部２の構造が図７に示す従来の収容部５０８を有する左側板部５０２に比べて簡単である。
【００１１】
図１において、左側板部２では、ナット部材１７の一部が上端面部１１から左側板部２の内部に埋め込まれて固定され、ナット部材１７の残部が上端面部１１より上方に突出して設けられる。ナット部材１８の一部が下端面部１２から左側板部２の内部に埋め込まれて固定され、ナット部材１８の残部が下端面部１２より下方に突出して設けられる。ナット部材１７；１８の個数は４個ずつに限定されるものではなく、２個以上、つまり、上端面部１１及び下端面部１２の夫々に複数個ずつ設けられれば、左側板部２と天板部４との位置関係が決まることには適用可能である。左側板部２の背収容部１９は、背板部６の左側部を収容部するものとして、内部空間側面部１５の後部に上方と下方及び内部空間側面部１５に開口した溝の造形に形成される。尚、ナット部材１７；１８の一部を埋め込むための凹部が左側板部２に設けられ、その凹部にナット部材１７；１８の一部を埋め込んで固定すれば、左側板部２に割れが発生しない。
【００１２】
次に、右側板部３の構造について説明する。右側板部３では、上端面部２１及び下端面部２２が互い平行になっていると共に内部空間側面部２５に直角に交差する平坦面部として個別に形成される。前端面部２３は、内部空間側面部２５に直角に交差する平坦面部として形成されると共に上端面部２１から下端面部２２に行くに従って徐々に前方に突出する勾配の斜面部として形成される。後端面部２４は、内部空間側面部２５と上端面部２１及び下端面部２２に直角に交差する平坦面部として形成される。即ち、右側板部３が四角形の板状に形成された造形であり、右側板部３の構造が図７に示す従来の収容部５１３を有する右側板部５０３に比べて簡単である。
【００１３】
図１に戻り、右側板部３では、ナット部材２７の一部が上端面部２１から右側板部３の内部に埋め込まれて固定され、ナット部材２７の残部が上端面部２１より上方に突出して設けられる。ナット部材２８の一部が下端面部２２から右側板部３の内部に埋め込まれて固定され、ナット部材２８の残部が下端面部２２より下方に突出して設けられる。ナット部材２７；２８の個数は４個ずつに限定されるものではなく、２個以上、つまり、上端面部２１及び下端面部２２の夫々に複数個ずつ設けられれば、右側板部３と天板部４との位置関係が決まることには適用可能である。右側板部３の背収容部２９は、背板部６の右側部を収容部するものとして、内部空間側面部２５の後部に上方と下方及び内部空間側面部２５に開口した溝の造形に形成される。尚、ナット部材２７；２８の一部を埋め込むための凹部が右側板部３に設けられ、その凹部にナット部材２７；２８の一部を埋め込んで固定すれば、右側板部３に割れが発生しない。
【００１４】
図１では、左側板部２及び右側板部３は互いに左右対象形である。背収容部１９；２９は、背板部６を天板部４の側及び底板部５の側の両方に抜去できるように上方と下方との開口した造形を例示したが、背板部６を天板部４の側又は底板部５の側の一方にだけ抜去できるように上方又は下方の一方に開口し他方を塞いだ造形でも適用可能である。
【００１５】
天板部４の構造について説明する。天板部４では、左端面部３１及び右端面部３２が互い平行になっていると共に内部空間側面部３５に直角に交差する平坦面部として個別に形成される。前端面部３３及び後端面部３４は、互い平行になっていると共に内部空間側面部３５と左端面部３１及び右端面部３２に直角に交差する平坦面部として形成される。即ち、天板部４が四角形の板状に形成された造形であり、天板部４の構造が図７に示す従来の突起部５０９；５１４を有する天板部５０４に比べて簡単である。
【００１６】
図１において、天板部４の左側部では、ナット収容部３８が、ナット部材１７の上端面部１１より上方に突出した残部を個別に収容するものとして、内部空間側面部３５の左側部に、内部空間側面部３５から天板部４の内部への窪みとして設けられる。ナット収容部３８の個数は、ナット部材１７の個数と同数になっている。頭収容部３９は、ボルト部材６５の頭部６７を回転可能に収容するものとして、上面部３６の左側部に、上面部３６から天板部４の内部への窪みとして設けられる。ねじ通し孔部４０は、ボルト部材６５の頭部６７を通さず雄ねじ部６６を通すもとして、天板部４のナット収容部３８と頭収容部３９との間にナット収容部３８及び頭収容部３９に繋がる孔部として形成される。ナット収容部３８と頭収容部３９及びねじ通し孔部４０は、縦方向の１本の線上に中心を配置した同心状になっている。
【００１７】
天板部４の右側部では、ナット収容部４１が、ナット部材２７の上端面部２１より上方に突出した残部を個別に収容するものとして、内部空間側面部３５の右側部に、内部空間側面部３５から天板部４の内部への窪みとして設けられる。ナット収容部４１の個数は、ナット部材２７の個数と同数になっている。頭収容部４２は、ボルト部材７５の頭部７７を回転可能に収容するものとして、上面部３６の右側部に、上面部３６から天板部４の内部への窪みとして設けられる。ねじ通し孔部４３は、ボルト部材７５の頭部７７を通さず雄ねじ部７６を通すもとして、天板部４のナット収容部４１と頭収容部４２との間にナット収容部４１及び頭収容部４２に繋がる孔部として形成される。ナット収容部４１と頭収容部４２及びねじ通し孔部４３は、縦方向の１本の線上に中心を配置した同心状になっている。天板部４の背収容部３７は、背板部６の上端部を収容部するものとして、内部空間側面部３５の後部に左右方向に塞がれかつ内部空間側面部３５に開口した溝の造形に形成される。
【００１８】
底板部５の構造について説明する。底板部５では、左端面部４５及び右端面部４６が互い平行になっていると共に内部空間側面部４９に直角に交差する平坦面部として個別に形成される。前端面部４７及び後端面部４８は、互い平行になっていると共に内部空間側面部４９と左端面部４５及び右端面部４６に直角に交差する平坦面部として形成される。即ち、底板部５が四角形の板状に形成された造形であり、底板部５の構造が図７に示す従来の突起部５１８；５２２を有する底板部５０５に比べて簡単である。
【００１９】
底板部５の左側部では、ナット収容部５２が、ナット部材１８の下端面部１２より下方に突出した残部を個別に収容するものとして、内部空間側面部４９の左側部に、内部空間側面部４９から底板部５の内部への窪みとして設けられる。ナット収容部５２の個数は、ナット部材１８の個数と同数になっている。頭収容部５３は、ボルト部材７０の頭部７２を収容するものとして、下面部５０の左側部に、下面部５０から底板部５の内部への窪みとして設けられる。ねじ通し孔部５４は、ボルト部材７０の頭部７２を通さず雄ねじ部７１を通すもとして、底板部５のナット収容部５２と頭収容部５３との間にナット収容部５２及び頭収容部５３に繋がる孔部として形成される。ナット収容部５２と頭収容部５３及びねじ通し孔部５４は、縦方向の１本の線上に中心を配置した同心状になっている。
【００２０】
底板部５の右側部では、ナット収容部５５が、ナット部材２８の下端面部２２より下方に突出した残部を個別に収容するものとして、内部空間側面部４９の右側部に、内部空間側面部４９から底板部５の内部への窪みとして設けられる。ナット収容部５５の個数は、ナット部材２８の個数と同数になっている。頭収容部５６は、ボルト部材８０の頭部８２を収容するものとして、下面部５０の右側部に、下面部５０から底板部５の内部への窪みとして設けられる。ねじ通し孔部５７は、ボルト部材８０の頭部８２を通さず雄ねじ部８１を通すもとして、底板部５のナット収容部５５と頭収容部５６との間にナット収容部５５及び頭収容部５６に繋がる孔部として形成される。ナット収容部５５と頭収容部５６及びねじ通し孔部５７は、縦方向の１本の線上に中心を配置した同心状になっている。底板部５の背収容部５１は、背板部６の下端部を収容部するものとして、内部空間側面部４９の後部に左右方向に塞がれかつ内部空間側面部４９に開口した溝の造形に形成される。
【００２１】
背板部６の構造について説明する。背板部６では、左端面部５９及び右端面部６０が互い平行になっていると共に内部空間側面部６３に直角に交差する平坦面部として個別に形成される。上端面部６１及び下端面部６２は、互い平行になっていると共に内部空間側面部６３と左端面部５９と右端面部６０に直角に交差する平坦面部として個別に形成される。
【００２２】
左側板部３と右側板部３と天板部４と底板部５及び背板部６における相互間の寸法について説明する。天板部４における左端面部３１と右端面部３２との間の横幅は、底板部５における左端面部４５と右端面部４６との間の横幅と同じ寸法になっている。天板部４における前端面部３３と後端面部３４との間の奥行は、左側板部２における上端面部１１の前端面部１３と後端面部１４との間の奥行、右側板部３における上端面部２１の前端面部２３と後端面部２４との間の奥行と同じ寸法になっている。底板部５における前端面部４７と後端面部４８との間の奥行は、左側板部２における下端面部１２の前端面部１３と後端面部１４との間の奥行、右側板部３における下端面部２２の前端面部２３と後端面部２４との間の奥行と同じ寸法になっている。
【００２３】
背板部６が背収容部１９；２９に収容され、左側板部２の後部と右側板部３の後部とが互いに近づく方向に押されて、左側板部２の背収容部１９と背板部６の左端面部５９とが互いに接触し、右側板部３の背収容部２９と背板部６の右端面部６０とが互いに接触した場合には、左側板部２の外面部１６と右側板部３の外面部２６との間の横幅は、天板部４の左端面部３１と右端面部３２との間の横幅、底板部５の左端面部４５と右端面部４６との間の横幅と同じ寸法になっている。
【００２４】
図１において、筐体１の組み立て方について説明する。組み立て順序は下記に限定されないが、例えば、左側板部２と右側板部３と底板部５とが互いに組み立てられた後、背板部６が組み立てられ、最後に、天板部４が組み立てられる場合を例として説明する。先ず、図１に示す左側板部２のナット部材１８と底板部５のナット収容部５２とが互いに嵌め合わされることにより、左側板部２の下端面部１２と底板部５の内部空間側面部４９とが図２に示すように互いに接触する一方、図５に示すように左側板部２の背収容部１９と底板部５の背収容部５１とが互いに直交した状態で繋がる。又、図１に示す右側板部３のナット部材２８と底板部５のナット収容部５５とが互いに嵌め合わされることにより、右側板部３の下端面部２２と底板部５の内部空間側面部４９とが図２に示すように互いに接触する一方、図５に示すように右側板部３の背収容部２９と底板部５の背収容部５１とが互いに直交した状態に繋がる。
【００２５】
図２に示すように、左側板部２と右側板部３と底板部５とが互いに組み立てられた場合、ナット部材１８とナット収容部５２とが互いに嵌め合わされて左側板部２と底板部５との相互の位置が決まり、ナット部材２８とナット収容部５５とが互いに嵌め合わされて右側板部３と底板部５との相互の位置が決まり、左側板部２が底板部５より上方に直角に立ち上がるように左側板部２の起立した状態が確保され、右側板部３が底板部５より上方に直角に立ち上がるように右側板部３の起立した状態が確保される。
【００２６】
ボルト部材７０の雄ねじ部７１が底板部５の外部から頭収容部５３及びねじ通し孔部５４を経由してナット部材１８の雌ねじ部にねじ締結される。このねじ締結による雄ねじ部７１のねじとナット部材１８における雌ねじ部のねじとの絡み合いにより、左側板部２と底板部５とが固く結ばれる一方、ボルト部材７０の頭部７２が底板部５よりも下方に突出しないように頭収容部５３に収容される。又、ボルト部材８０の雄ねじ部８１が底板部５の外部から頭収容部５６及びねじ通し孔部５７を経由してナット部材２８の雌ねじ部にねじ締結される。ねじ締結による雄ねじ部８１のねじとナット部材２８における雌ねじ部のねじとの絡み合いにより、右側板部３と底板部５とが固く結ばれる一方、ボルト部材８０の頭部８２が底板部５よりも下方に突出しないように頭収容部５６に収容される。
【００２７】
次に、図３に示すように、背板部６が上記のように組み立てられた左側板部２と右側板部３及び底板部５からなる構造物に対して組み立てられる。その場合、左側板部２及び右側板部３が底板部５より起立した状態において、背板部６の下端面部６２の側の左側部及び右側部が左側板部２の上方及び右側板部３の上方から背収容部１９；２９に収容された後、背板部６が下方に移動されて、背板部６の下端部が底板部５の背収容部５１に収容され、背板部６の下端面部６２が背収容部５１に受け止められる。これにより、背板部６の左側部と右側部及び下端部が左側板部２と右側板部３及び底板部５の外部から可視不可能に目隠しされた状態になり、背板部６の上端部が左側板部２及び右側板部３よりも上方に突出している。
【００２８】
その後、図４に示すように、天板部４が上記のように組み立てられた左側板部２と右側板部３と底板部５及び背板部６からなる構造物に対して組み立てられる。つまり、左側板部２のナット部材１７と天板部４のナット収容部３８とが互いに嵌め合わされ、右側板部３のナット部材２７と天板部４のナット収容部４１とが互いに嵌め合わされて、上端面部１１と内部空間側面部３５とが互いに接触し、上端面部２１と内部空間側面部３５とが互いに接触し、天板部４の背収容部３７と背板部６の上端部とが互いに嵌め合わされ、背板部６の上端面部６１が背収容部３７に受け止められる。これにより、背板部６の左側部と右側部と上端部及び下端部が背収容部１９；２９；３７；５１に嵌め込まれて背板部６の保持が強固になると共に左側板部２と右側板部３と天板部４と底板部５の外部から可視不可能に目隠しされた状態になり、筐体１の外部から左側板部２と右側板部３と天板部４と底板部５及び背板部６相互の合わせ部分を通過して内部空間部７に対して行われる不正な操作を防止することができる。
【００２９】
最後に、ボルト部材６５の雄ねじ部６６が天板部４の外部から頭収容部３９及びねじ通し孔部４０を経由してナット部材１７の雌ねじ部にねじ締結される。このねじ締結による雄ねじ部６６のねじとナット部材１７における雌ねじ部のねじとの絡み合いにより、左側板部２と天板部４とが固く結ばれる一方、ボルト部材６５の頭部６７が天板部４よりも下方に突出しないように頭収容部３９に収容される。又、ボルト部材７５の雄ねじ部７６が天板部４の外部から頭収容部４２及びねじ通し孔部４３を経由してナット部材２７の雌ねじ部にねじ締結される。このねじ締結による雄ねじ部７６のねじとナット部材２７における雌ねじ部のねじとの絡み合いにより、右側板部３と天板部４とが固く結ばれる一方、ボルト部材７５の頭部７７が天板部４よりも上方に突出しないように頭収容部４２に収容される。
【００３０】
以上により、スロットマシンの筐体１が図６に示すように右側板部３と左側板部２と天板部４と底板部５と背板部６とが互いに固定されて前方が開放されかつ左右上下後が囲まれた内部空間部７を構成した箱形に形成される。
【００３１】
図６において、例えば、天板部４を交換する場合、ボルト部材６５；７５が工具孔部６８；７８に入れられたレンチのような工具で緩む方向に回転されて天板部４から抜去され、天板部４が左側板部２及び右側板部３から外される。天板部４が左側板部２及び右側板部３から外された場合、背板部６は上方に抜去できる。その後、図４に示すように、新しい天板部４が左側板部２及び右側板部３に被せられ、ボルト部材６５；７５が天板部４を経由して左側板部２及び右側板部３に装着されれば、天板部４を容易に交換することができる。
【００３２】
又、図６において、底板部５を交換する場合、ボルト部材７０；８０が工具孔部７３；８３に入れられたレンチのような工具で緩む方向に回転されて底板部５から抜去され、底板部５が左側板部２及び右側板部３から外される。底板部５が左側板部２及び右側板部３から外された場合、背板部６は下方に抜去できる。その後、図４に示すように、新しい底板部５が左側板部２及び右側板部３に被せられ、ボルト部材７０；８０が底板部５を経由して左側板部２及び右側板部３に装着されれば、底板部５を容易に交換することができる。
【００３３】
又、図６において、天板部４又は底板部５と外すと、背板部６が外された天板部４の側又は外された底板部５の側に移動されることにより背収容部１９；２９から引き抜かれて交換できる。又、天板部４及び底板部５を外せば、左側板部２、右側板部３、天板部４、底板部５、背板部６がばらばらになり、左側板部２の交換も可能であり、右側板部３の交換も可能である。即ち、筐体１を構成する左側板部２、右側板部３、天板部４、底板部５、背板部６の全ての部材が交換可能である。つまり、現在の時代背景としては、資源の有効利用が叫ばれている。従って、できるだけ材料の再利用が望まれている。スロットマシンの筐体１の場合、筐体１が遊技店の島設備と呼ばれる遊技機設置設備に設置される時、筐体１を遊技機設置設備に固定する釘の打ち込みにより天板部４及び底板部５に傷が付く。このような場合、筐体１では、傷の付いた天板部４及び底板部５を新しい天板部４及び底板部５に簡単に取替えることができるので、筐体１の再生が容易にできる。又、左側板部２及び右側板部３についても上記天板部４及び底板部５と同様のことが言える。これに対し、現在の木材からなるスロットマシンの筐体では、各部材をタッカー等の固定具により結合しているため、左側板部２、右側板部３、天板部４、底板部５、背板部６の各部材をばらすと使い物にならないので、リユース・リデュースに向かない。
【００３４】
図７及び図８を参照し、発明を実施するための形態２に係るスロットマシンの筐体１の背板部６について説明する。図７及び図８において、背板部６は、裏面部に突起部８４を備えて前後方向の厚みを厚くした構成である。そして、背板部６の左端面部５９と右端面部６０と上端面部６１と下端面部６２とが左側板部２の背収容部１９と右側板部３の背収容部２９と天板部４の背収容部３７と底板部５の背収容部５１と個別に嵌め込まれたことにより、筐体１の左側板部２と右側板部３と天板部４と底板部５と背板部６とで囲まれた内部空間の奥行を狭くすることなく、筐体１の裏側が平坦な背面になった構成である。
【００３５】
図９を参照し、発明を実施するための形態３に係るスロットマシンの筐体１の左側板部２と天板部４との結合又は右側板部３と天板部４との結合に用いられる金具８８について説明する。図９において、金具８８は、横片部８９の一側部から縦片部９０を下方に直角に突出した構成である。横片部８９には、突出部９１とねじ通し孔部９２とが複数個ずつ設けられる。突出部９１は、横片部８９の外面部（縦片部９０の突出していない側の面部）より外側に突出した造形である。縦片部９０には、突出部９３とねじ通し孔部９４とが複数個ずつ設けられる。突出部９３は、縦片部９０の外面部（横片部８９の突出していない側の面部）より外側に突出した造形である。
【００３６】
図１０及び図１１を参照し、発明を実施するための形態３に係るスロットマシンの筐体１の左側板部２と天板部４とを金具８８で結合した部分、右側板部３と天板部４とを金具８８で結合部分について説明する。図１０において、天板部４の左側部の内部空間側面部には横収容部９５と突収容部９６とが設けられ、天板部４の右側部の内部空間側面部には横収容部９７と突収容部９８とが設けられ、左側板部２の上部の内部空間側面部には縦収容部９９と突収容部１００とが設けられ、右側板部３の上部の内部空間側面部には縦収容部１０１と突収容部１０２とが設けられる。そして、左側板部２と天板部４とを金具８８で結合する場合において、金具８８の縦片部９０が左側部２の縦収容部９９に収容され、金具８８の突出部９３が左側板部２の突収容部１００に収容され、金具８８の横片部８９が天板部４の横収容部９５に収容され、金具８８の突出部９１が天板部４の突収容部９６に収容されることにより、左側板部２と天板部４との位置が決められる。また、右側板部３と天板部４とを金具８８で結合する場合において、金具８８の縦片部９０が右側板部３の縦収容部１０１に収容され、金具８８の突出部９３が右側板部３の突収容部１０２に収容され、金具８８の横片部８９が天板部４の横収容部９７に収容され、金具８８の突出部９１が天板部４の突収容部９８に収容されることにより、右側板部３と天板部４との位置が決められる。
【００３７】
図１１において、天板部４の左側部には横収容部９５とねじ通し孔部１０３とナット部材１０４とが設けられ、天板部４の右側部には横収容部９７とねじ通し孔部１０５とナット部材１０６とが設けられ、左側板部２の上部には縦収容部９９とねじ通し孔部１０７とナット部材１０８とが設けられ、右側板部３の上部には縦収容部１０１とねじ通し孔部１０９とナット部材１１０とが設けられる。ナット部材１０４；１０６は天板部４の内部に埋め込まれて固定され、ナット部材１０８は左側板部２の内部に埋め込まれて固定され、ナット部材１１０は右側板部３の内部に埋め込まれて固定されている。そして、左側板部２と天板部４とを金具８８で結合する場合において、金具８８の縦片部９０が左側板部２の縦収容部９９に収容され、金具８８の横片部８９が天板部４の横収容部９５に収容され、ボルト部材１１１の雄ねじ部が内部空間部７の側から金具８８のねじ通し孔部９２及び天板部４のねじ通し孔部１０３を経由してナット部材１０４にねじ締結され、ボルト部材１１２の雄ねじ部が内部空間部７の側から金具８８のねじ通し孔部９４及び左側板部２のねじ通し孔部１０７を経由してナット部材１０８にねじ締結されることにより、左側板部２と天板部４とが互いに結合される。また、右側板部３と天板部４とを金具８８で結合する場合には、金具８８の縦片部９０が右側板部３の縦収容部１０１に収容され、金具８８の横片部８９が天板部４の横収容部９７に収容され、ボルト部材１１３の雄ねじ部が内部空間部７の側から金具８８のねじ通し孔部９２及び天板部４のねじ通し孔部１０５を経由してナット部材１０６にねじ締結され、ボルト部材１１４の雄ねじ部が内部空間部７の側から金具８８のねじ通し孔部９４及び右側板部３のねじ通し孔部１０９を経由してナット部材１１０にねじ締結されることにより、右側板部３と天板部４とが互いに結合される。上記のようにボルト部材１１１乃至１１４が内部空間部７の側から装着された構造になっているので、筐体１の外部からのボルト部材１１１乃至１１４の取り外しを防止することができる。尚、ボルト部材１１１乃至１１４の取り外しを防止する性能は低くなるが、左側板部２と右側板部３と天板部４にナット部材１０４；１０６；１０８；１１０に代替する凹部を設け、金具８８にねじ通し孔部９２；９４に代替するねじ孔部を設け、ボルト部材１１１乃至１１４が筐体１の外部から装着される構成でも適用可能である。
【００３８】
図９に示した金具８８に類似した構造の金具を用いて筐体１の左側板部２と底板部５とを結合し、右側板部３と底板部５とを結合してもよい。この場合は、段落００３６及び段落００３７における天板部４を底板部５と読み替えることにより適用可能である。
【００３９】
図１２を参照し、発明を実施するための形態４に係るスロットマシンの筐体１の左側板部２と天板部４との結合又は右側板部３と天板部４との結合に用いられる金具１１５について説明する。図１２において、金具１１５は、横片部１１６の一側部から縦片部１１７を下方に直角に突出した構成である。横片部１１６には、突出部１１８とねじ通し孔部１１９とが複数個ずつ設けられる。突出部１１８は、横片部１１６の外面部（縦片部１１７の突出していない側の面部）より外側に突出した造形である。縦片部１１７には、突出部１２０とねじ通し孔部１２１とが複数個ずつ設けられる。突出部１２０は、縦片部１１７の外面部（横片部１１６の突出していない側の面部）から内面部（横片部１１６の突出した側の面部に）に突出した造形である。
【００４０】
図１３及び図１４を参照し、発明を実施するための形態４に係るスロットマシンの筐体１の左側板部２と天板部４とを金具１１５で結合した部分、右側板部３と天板部４とを金具１１５で結合部分について説明する。図１３において、天板部４の左側部の内部空間側面部には横収容部１２２と突収容部１２３とが設けられ、天板部４の右側部の内部空間側面部には横収容部１２４と突収容部１２５とが設けられ、左側板部２の上部の内部空間側面部には縦収容部１２６と突収容部１２７とが設けられ、右側板部３の上部の内部空間側面部には縦収容部１２８と突収容部１２９とが設けられる。そして、左側板部２と天板部４とを金具１１５で結合する場合において、金具１１５の縦片部１１７が左側部２の縦収容部１２６に収容され、金具１１５の突出部１２０が左側板部２の突収容部１２７に収容され、金具１１５の横片部１１６が天板部４の横収容部１２２に収容され、金具１１５の突出部１１８が天板部４の突収容部１２３に収容されることにより、左側板部２と天板部４との位置が決められる。また、右側板部３と天板部４とを金具１１５で結合する場合において、金具１１５の縦片部１１７が右側板部３の縦収容部１２８に収容され、金具１１５の突出部１２０が右側板部３の突収容部１２９に収容され、金具１１５の横片部１１６が天板部４の横収容部１２４に収容され、金具１１５の突出部１１８が天板部４の突収容部１２５に収容されることにより、右側板部３と天板部４との位置が決められる。
【００４１】
図１４において、天板部４の左側部には横収容部１２２とねじ通し孔部１３０とナット部材１３１とが設けられ、天板部４の右側部には横収容部１２４とねじ通し孔部１３２とナット部材１３３とが設けられ、左側板部２の上部には縦収容部１２６とねじ通し孔部１３４とナット部材１３５と逃げ凹部１３６とが設けられ、右側板部３の上部には縦収容部１２８とねじ通し孔部１３７とナット部材１３８と逃げ凹部１３９とが設けられる。ナット部材１３１；１３３は天板部４の内部に埋め込まれた固定され、ナット部材１３５は左側板部２の内部に埋め込まれて固定され、ナット部材１３８は右側板部３の内部に埋め込まれて固定されている。そして、左側板部２と天板部４とを金具１１５で結合する場合には、金具１１５の横片部１１６が天板部４の横収容部１２２に収容され、ボルト部材１４０の雄ねじ部が内部空間部７の側から金具１１５のねじ通し孔部１１９及び天板部４のねじ通し孔部１３０を経由してナット部材１３１にねじ締結された後、ボルト部材１４０の頭部が左側板部２の逃げ凹部１３６に収容され、金具１１５の縦片部１１７が左側板部２の縦収容部１２６に収容され、ボルト部材１４１の雄ねじ部が内部空間部７の側から金具１１５のねじ通し孔部１２１及び左側板部２のねじ通し孔部１３４を経由してナット部材１３５にねじ締結されることにより、左側板部２と天板部４とが互いに結合される。また、右側板部３と天板部４とを金具１１５で結合する場合には、金具１１５の横片部１１６が天板部４の横収容部１２４に収容され、ボルト部材１４２の雄ねじ部が内部空間部７の側から金具１１５のねじ通し孔部１１９及び天板部４のねじ通し孔部１３２を経由してナット部材１３３にねじ締結された後、ボルト部材１４２の頭部が右側板部３の逃げ凹部１３９に収容され、ボルト部材１４３の雄ねじ部が内部空間部７の側から金具１１５のねじ通し孔部１２１及び右側板部３のねじ通し孔部１３７を経由してナット部材１３８にねじ締結されることにより、右側板部３と天板部４とが互いに結合される。上記のようにボルト部材１４２乃至１４３が内部空間部７の側から装着された構造になっているので、筐体１の外部からのボルト部材１４０乃至１４３の取り外しを防止することができる。尚、ボルト部材１４０乃至１４３の取り外しを防止する性能は低くなるが、左側板部２と右側板部３と天板部４にナット部材１３１；１３３；１３５；１３８に代替する凹部を設け、金具１１５にねじ通し孔部１１９；１２１に代替するねじ孔部を設け、ボルト部材１４０乃至１４３が筐体１の外部から装着される構成でも適用可能である。
【００４２】
図１２に示した金具１１５に類似した構造の金具を用いて筐体１の左側板部２と底板部５とを結合し、右側板部３と底板部５とを結合してもよい。この場合は、段落００４０及び段落００４１における天板部４を底板部５と読み替えることにより適用可能である。
【００４３】
また、図１に示した筐体１を構成する左側板部２、右側板部３、天板部４、底板部５、背板部６の全ての部材は、木材、金属、合成樹脂の何れでも適用可能である。木材には、自然木材、合板、集成材、合成木材等がある。合成木材には、木質繊維を紙のように抄いて常温乾燥したインシュレーションボード（ファイバーボードとも呼ばれる）、木質繊維を紙のように抄いてフェノール樹脂などの樹脂材を加えて圧熱成形したハードボード（ファイバーボードとも呼ばれる）、木質繊維に接着剤を加えて圧熱成形したＭＤＦ（ファイバーボードとも呼ばれる）、木材の砕かれた小片に接着剤を加えて高温高圧成形したパーティクルボード、木材の挽材からなる心材に木材からなる表裏材を張ったランバーコア（挽材心合板またはコーアボードとも呼ばれる）、薄く細長い木片に方向性与えて直交させ接着剤で圧縮成形したＯＢＳ（配向性ボートとも呼ばれる）、木材からなる細長い単板の方向性を揃えて成形したＰＬＳ（パララムとも呼ばれる）、ＯＢＳと同じ材質を用いたＷＢ（ウエハーボードとも呼ばれる）などがある。合成木材又はアルミニウム又は合成樹脂の場合は、成形によりナット部材１７；１８；２７；２８の一部を埋め込んで固定するための孔部を設けることが可能である。
【００４４】
図１に示した天板部４及び底板部５の一方又は両方を前後方向に分割した構成とし、筐体１が遊技店の遊技機設置設備に設置される時、釘の打ち込みによる傷が天板部４及び底板部５の後半部に付くようにすれば、上記傷の付いた後半部を交換することによりリユース率や作業効率が上がる。
【００４５】
また、図１に示したナット部材１７；１８；２７；２８及び図１１に示したナット部材１０４；１０６；１０８；１１０並びに図１４に示したナット部材１３１；１３３；１３５；１３７としては、市販の金属製の鬼目ナット（登録商標）を用いることが考えられる。図１示した複数個のナット部材１７を板部材で連結し、図１示した複数個のナット部材１８を板部材で連結し、図１示した複数個のナット部材２７を板部材で連結し、図１示した複数個のナット部材２８を板部材で連結しても適用可能である。
【符号の説明】
【００４６】
１は筐体、２は左側板部、３は右側板部、４は天板部、５は底板部、６は背板部、７は内部空間部、８乃至１０は欠番、１１は上端面部、１２は下端面部、１３は前端面部、１４は後端面部、１５は内部空間側面部、１６は外面部、１７；１８はナット部材、１９は背収容部、２０は欠番、２１は上端面部、２２は下端面部、２３は前端面部、２４は後端面部、２５は内部空間側面部、２６は外面部、２７；２８はナット部材、２９は背収容部、３０は欠番、３１は左端面部、３２は右端面部、３３は前端面部、３４は後端面部、３５は内部空間側面部、３６は上面部、３７は背収容部、３８；４１はナット収容部、３９；４２は頭収容部、４０；４３はねじ通し孔部、４４は欠番、４５は左端面部、４６は右端面部、４７は前端面部、４８は後端面部、４９は内部空間側面部、５０は下面部、５１は背収容部、５２；５５はナット収容部、５３；５６は頭収容部、５４；５７はねじ通し孔部、５８は欠番、５９は左端面部、６０は右端面部、６１は上端面部、６２は下端面部、６３は内部空間側面部、６４は欠番、６５はボルト部材、６６は雄ねじ部、６７は頭部、６８は工具孔部、６９は欠番、７０はボルト部材、７１は雄ねじ部、７２は頭部、７３は工具孔部、７４は欠番、７５はボルト部材、７６は雄ねじ部、７７は頭部、７８は工具孔部、７９は欠番、８０はボルト部材、８１は雄ねじ部、８２は頭部、８３は工具孔部、８４は突起部、８５乃至８７は欠番、８８は金具、８９は横片部、９０は縦片部、９１は突出部、９２はねじ通し孔部、９３は突出部、９４はねじ通し孔部、９５は横収容部、９６は突収容部、９７は横収容部、９８は突収容部、９９は縦収容部、１００は突収容部、１０１は縦収容部１０２は突収容部、１０３はねじ通し孔部、１０４はナット部材、１０５はねじ通し孔部、１０６はナット部材、１０７はねじ通し孔部、１０８はナット部材、１０９はねじ通し孔部、１１０はボルト部材、１１１乃至１１４はボルト部材、１１５は金具、１１６は横片部、１１７は縦片部、１１８は突出部、１１９はねじ通し孔部、１２０は突出部、１２１はねじ通し孔部、１２２は横収容部、１２３は突収容部、１２４は横収容部、１２５は突収容部、１２６は縦収容部、１２７は突収容部、１２８は縦収容部、１２９は突収容部、１３０はねじ通し孔部、１３１はナット部材、１３２はねじ通し孔部、１３３はナット部材、１３４はねじ通し孔部、１３５はナット部材、１３６は逃げ凹部、１３７はねじ通し孔部、１３８はナット部材、１３９は逃げ凹部、１４０乃至１４３はボルト部材、１４４乃至５００は欠番、５０１は枠体、５０２は左側板部、５０３は右側板部、５０４は天板部、５０５は底板部、５０６はねじ通し部、５０７は取付部、５０８は収容部、５０９は突起部、５１０はボルト部材、５１１はねじ通し部、５１２は取付部、５１３は収容部、５１４は突起部、５１５はボルト部材、５１６はねじ通し部、５１７は取付部、５１８は突起部、５１９はボルト部材、５２０はねじ通し部、５２１は取付部、５２２は突起部、５２３はボルト部材。
【図１】
2014223292.tif 000003
【図２】
2014223292.tif 000004
【図３】
2014223292.tif 000005
【図４】
2014223292.tif 000006
【図５】
2014223292.tif 000007
【図６】
2014223292.tif 000008
【図７】
2014223292.tif 000009
【図８】
2014223292.tif 000010
【図９】
2014223292.tif 000011
【図１０】
2014223292.tif 000012
【図１１】
2014223292.tif 000013
【図１２】
2014223292.tif 000014
【図１３】
2014223292.tif 000015
【図１４】
2014223292.tif 000016
【図１５】
2014223292.tif 000017